【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
所定の撮影条件に従って被写体の光学像を撮像して画像データを生成する撮像手段と、
前記撮像手段において用いられる撮影条件を設定する条件設定手段と、
前記撮像手段により生成された画像ファイルと前記条件設定手段により設定された撮影条件ファイルとを夫々独立に生成すると共に、当該画像ファイル及び撮影条件ファイルに対して両ファイルを互いに関連付けするためのファイル名を生成するファイル生成手段と、
前記画像ファイル及び撮影条件ファイルを記録するファイル記録手段と、を具備することを特徴とする撮像装置。
【請求項２】
前記ファイル生成手段は、前記画像ファイルを特定する文字列を用いて前記撮影条件ファイルのファイル名を生成すると共に、前記撮影条件ファイルを特定する文字列を用いて前記画像ファイルのファイル名を生成することを特徴とする請求項１に記載の撮像装置。
【請求項３】
前記ファイル記録手段に記録されている複数の撮影条件ファイルから任意のファイルを選択して撮影条件に設定する条件ファイル選択手段を更に備え、
前記ファイル生成手段は、前記条件ファイル選択手段により選択した撮影条件ファイルを特定する文字列を用いて前記画像ファイルのファイル名を生成することを特徴とする請求項２に記載の撮像装置。
【請求項４】
前記ファイル生成手段は、前記撮像手段による画像撮影開始時に、前記画像ファイルのファイル名及び前記撮影条件ファイルのファイル名を生成することを特徴とする請求項１乃至３のいずれか１項に記載の撮像装置。
【請求項５】
前記ファイル生成手段は、前記条件ファイル選択手段により選択された撮影条件の設定時に、前記画像ファイルのファイル名を生成することを特徴とする請求項３に記載の撮像装置。
【請求項６】
前記ファイル生成手段は、前記条件ファイル選択手段により選択された撮影条件ファイルに関連付けされた画像ファイルが既に存在する場合、前記撮影条件ファイルを特定する文字列以外の部分を変更することにより前記既に存在する画像ファイルのファイル名とは異なるファイル名を生成することを特徴とする請求項３乃至５のいずれか１項に記載の撮像装置。
【請求項７】
前記ファイル生成手段は、画像ファイルを主体として撮影条件ファイルのファイル名を生成するモードと、撮影条件ファイルを主体として画像ファイルのファイル名を生成するモードとを切り替える手段を備えることを特徴とする請求項１乃至７のいずれか１項に記載の撮像装置。
【請求項８】
前記ファイル記録手段に記録されている複数の撮影条件ファイルから、前記条件設定手段により設定された撮影条件と同一の撮影条件ファイルを検索する条件検索手段と、
前記条件検索手段により検索された撮影条件ファイルを特定する文字列を用いて当該撮影条件ファイルに関連付けされた画像ファイルを検索する画像検索手段と、
前記画像検索手段により検索された画像ファイルを表示する画像表示手段と、
前記画像表示手段により表示された画像から１の画像を選択する画像選択手段と、
前記画像選択手段により選択された画像ファイルのファイル名を、前記条件設定手段により設定された撮影条件のファイル名を用いて変更するファイル名変更手段と、を更に備えることを特徴とする請求項１乃至７のいずれか１項に記載の撮像装置。
【請求項９】
所定の撮影条件に従って被写体の光学像を撮像して画像データを生成する撮像工程と、
前記撮像工程において用いられる撮影条件を設定する条件設定工程と、
前記撮像工程により生成された画像ファイルと前記条件設定工程により設定された撮影条件ファイルとを夫々独立に生成すると共に、当該画像ファイル及び撮影条件ファイルに対して両ファイルを互いに関連付けするためのファイル名を生成するファイル生成工程と、
前記画像ファイル及び撮影条件ファイルを記録手段に記録するファイル記録工程と、を具備することを特徴とする撮像方法。
【請求項１０】
動画像を撮像する撮像手段と、
前記撮像手段において用いられる撮影条件を記憶する撮影条件記憶手段と、
前記撮像手段による動画像の撮像中に撮影条件の読み出しを指示する指示手段と、
前記指示手段により読み出しが指示された場合、前記撮影条件記憶手段に記憶された撮影条件に関する情報を表示する表示手段と、
前記表示手段に表示される撮影条件に関する情報の中から所望の撮影条件を選択する選択手段と、
前記選択手段により選択された撮影条件を設定する設定手段とを具備することを特徴とする撮像装置。
【請求項１１】
前記表示手段は、撮影条件に関連づけて記憶される識別情報を表示することを特徴とする請求項１０に記載の撮像装置。
【請求項１２】
前記表示手段は、撮影条件に関連づけて記憶される画像を表示することを特徴とする請求項１０に記載の撮像装置。
【請求項１３】
前記撮影条件が記憶される撮影条件ファイルと画像が記憶される画像ファイルはフィル名により対応付けて記憶されることを特徴とする請求項１２に記載の撮像装置。
【請求項１４】
前記撮影条件記憶手段は、前記画像ファイル及びそれに関連付けされた撮影条件ファイルを記憶する第１の記憶部と、前記第１の記憶部に記憶された撮影条件ファイルのデータを書き込む第２の記憶部と、を備え、
前記設定手段は、前記第１の記憶部に記憶された画像ファイルを選択することで、当該画像ファイルに関連付けられた前記撮影条件ファイルのデータが前記第２の記憶部に保持され、前記第２の記憶部に保持されたデータを選択することにより撮影条件を設定することを特徴とする請求項１３に記載の撮像装置。
【請求項１５】
前記第２の記憶部は、前記第１の記憶部から読み込んだ複数の撮影条件のデータを保持する保持部を有し、当該保持部に保持されたデータを選択することにより撮影条件を設定する請求項１４に記載の撮像装置。
【請求項１６】
前記第１の記憶部は着脱可能であり、前記第２の記憶部は撮像装置に内蔵されている請求項１４に記載の撮像装置。
【請求項１７】
動画像を撮像する撮像工程と、
前記撮像工程において用いられる撮影条件を記憶する撮影条件記憶工程と、
前記撮像工程による動画像の撮像中に撮影条件の読み出しを指示する指示工程と、
前記指示工程により読み出しが指示された場合、前記撮影条件記憶工程で記憶された撮影条件に関する情報を表示する表示工程と、
前記表示工程で表示される撮影条件に関する情報の中から所望の撮影条件を選択する選択工程と、
前記選択工程により選択された撮影条件を設定する設定工程とを具備することを特徴とする撮像方法。
【請求項１８】
請求項９又は１７に記載の撮像方法をコンピュータに実行させるためのプログラム。
【請求項１９】
請求項１８に記載のプログラムを記憶したことを特徴とするコンピュータ可読記憶媒体。
【手続補正２】
【補正対象書類名】明細書
【補正対象項目名】００１３
【補正方法】変更
【補正の内容】
【００１３】
上記課題を解決し、目的を達成するために、本発明の撮像装置は、所定の撮影条件に従って被写体の光学像を撮像して画像データを生成する撮像手段と、前記撮像手段において用いられる撮影条件を設定する条件設定手段と、前記撮像手段により生成された画像ファイルと前記条件設定手段により設定された撮影条件ファイルとを夫々独立に生成すると共に、当該画像ファイル及び撮影条件ファイルに対して両ファイルを互いに関連付けするためのファイル名を生成するファイル生成手段と、前記画像ファイル及び撮影条件ファイルを記録するファイル記録手段と、を具備する。
また、本発明の撮像装置は、動画像を撮像する撮像手段と、前記撮像手段において用いられる撮影条件を記憶する撮影条件記憶手段と、前記撮像手段による動画像の撮像中に撮影条件の読み出しを指示する指示手段と、前記指示手段により読み出しが指示された場合、前記撮影条件記憶手段に記憶された撮影条件に関する情報を表示する表示手段と、前記表示手段に表示される撮影条件に関する情報の中から所望の撮影条件を選択する選択手段と、前記選択手段により選択された撮影条件を設定する設定手段とを具備する。
【手続補正３】
【補正対象書類名】明細書
【補正対象項目名】００１４
【補正方法】変更
【補正の内容】
【００１４】
また、本発明の撮像方法は、所定の撮影条件に従って被写体の光学像を撮像して画像データを生成する撮像工程と、前記撮像工程において用いられる撮影条件を設定する条件設定工程と、前記撮像工程により生成された画像ファイルと前記条件設定工程により設定された撮影条件ファイルとを夫々独立に生成すると共に、当該画像ファイル及び撮影条件ファイルに対して両ファイルを互いに関連付けするためのファイル名を生成するファイル生成工程と、前記画像ファイル及び撮影条件ファイルを記録手段に記録するファイル記録工程と、を具備する
また、本発明の撮像方法は、動画像を撮像する撮像工程と、前記撮像工程において用いられる撮影条件を記憶する撮影条件記憶工程と、前記撮像工程による動画像の撮像中に撮影条件の読み出しを指示する指示工程と、前記指示工程により読み出しが指示された場合、前記撮影条件記憶工程で記憶された撮影条件に関する情報を表示する表示工程と、前記表示工程で表示される撮影条件に関する情報の中から所望の撮影条件を選択する選択工程と、前記選択工程により選択された撮影条件を設定する設定工程とを具備する。